【手続補正書】
【提出日】平成20年1月28日(2008.1.28)
【手続補正１】
【補正対象書類名】特許請求の範囲
【補正対象項目名】全文
【補正方法】変更
【補正の内容】
【特許請求の範囲】
【請求項１】
特徴の規則的パターンを画像化する、多重チャネル・イメージングヘッド（ｍｕｌｔｉｐｌｅ  ｃｈａｎｎｅｌ  ｉｍａｇｉｎｇ  ｈｅａｄ）を構成する方法であって、
パターン中の該特徴間の反復距離を決定する工程と、
１つのみまたは複数の完全パターン特徴が、イメージングヘッドの単一の走査で画像化されるように、画像化用チャネル数を決定する工程と、
前記決定されたチャネル数に従って前記イメージングヘッドを構成する工程と、
を含むことを特徴とする、多重チャネル・イメージングヘッドを構成する方法。
【請求項２】
前記多重チャネルのうちの少なくとも１つは画像化されず、前記多重チャネルのうちの前記少なくとも１つが、前記単一の走査において、画像化された最初のチャネルと画像化された最後のチャネルとの間に位置することを特徴とする請求項１に記載の方法。
【請求項３】
前記規則的パターンが、前記イメージングヘッドの複数の走査で画像化され、各連続走査が、前回の走査に隣接していることを特徴とする請求項１に記載の方法。
【請求項４】
前記規則的パターンが、カラーフィルタ特徴のパターンを備えることを特徴とする請求項１に記載の方法。
【請求項５】
前記カラーフィルタ特徴のパターンが、複数の異なる有色特徴を備えるとともに、各色の前記特徴が、別々に画像化されることを特徴とする請求項４に記載の方法。
【請求項６】
カラーフィルタ基板を設ける工程と、
前記基板上にブラック・マトリクスを形成する工程と、
パターン色毎に有色色素供与体要素を設ける工程と、
順に、前記基板上に形成された前記ブラック・マトリクスを、各有色色素供与体要素で覆い、前記供与体色に対応する前記パターン色特徴を画像化し、さらに前記画像化された有色色素供与体要素を除去する工程と、
をさらに含み、
各色の前記特徴が、前記イメージングヘッドの複数の走査で画像化され、各連続走査が前記前回の走査に隣接していることを特徴とする請求項５に記載の方法。
【請求項７】
請求項１に記載の方法により構成された特徴の規則的パターンを画像化することを特徴とする多重チャネル・イメージングヘッド。
【請求項８】
各々が入射光線に作用して変調光線を生成可能な、複数の制御可能要素を有するライトバルブ（ｌｉｇｈｔ  ｖａｌｖｅ）と、
前記制御可能要素を照明する光源と、
前記変調光線を画像化媒体上に向けるレンズとを備えることを特徴とする請求項７に記載の多重チャネル・イメージングヘッド。
【手続補正２】
【補正対象書類名】明細書
【補正対象項目名】００５０
【補正方法】変更
【補正の内容】
【００５０】
以上の開示の対象である当業者には明らかであるように、本発明の要旨または範囲から逸脱することなく本発明を実行する上で多くの変更例および変形例が可能である。
以下に本明細書に記載の発明につき、列記する。
１．  特徴の規則的パターンを画像化する、多重チャネル・イメージングヘッド（ｍｕｌｔｉｐｌｅ  ｃｈａｎｎｅｌ  ｉｍａｇｉｎｇ  ｈｅａｄ）を構成する方法であって、
パターン中の該特徴間の反復距離を決定する工程と、
１つのみまたは複数の完全パターン特徴が、イメージングヘッドの単一の走査で画像化されるように、画像化用チャネル数を決定する工程と、
前記決定されたチャネル数に従って前記イメージングヘッドを構成する工程と、
を含むことを特徴とする、多重チャネル・イメージングヘッドを構成する方法。
２．  前記イメージングヘッドを構成する工程が、前記多重チャネルのうちの少なくとも１つを無効にすることを含むことを特徴とする前記１．に記載の方法。
３．  前記多重チャネルのうちの少なくとも１つは画像化されず、前記多重チャネルのうちの前記少なくとも１つが、前記単一の走査において、画像化された最初のチャネルと画像化された最後のチャネルとの間に位置することを特徴とする前記１．に記載の方法。
４．  前記イメージングヘッドが、前記イメージングヘッドの単一の走査で、整数の完全パターン特徴と１つの部分パターン特徴とを画像化する十分なチャネルを有するとともに、
前記イメージングヘッドを構成する工程が、前記整数の完全パターン特徴のみが、前記イメージングヘッドの単一の走査で画像化されるように、少なくとも前記１つの部分パターン特徴を画像化するチャネルを無効にすることを含むことを特徴とする前記２．に記載の方法。
５．  前記規則的パターンが、前記イメージングヘッドの複数の走査で画像化され、各連続走査が、前回の走査に隣接していることを特徴とする前記１．に記載の方法。
６．  前記多重チャネルが、規則的に一定距離をおいて配置されているとともに、前記連続走査において画像化された前記最初のチャネルが、前回の走査において画像化された最後のチャネルから、前記一定距離より大きく移動されていることを特徴とする前記５．に記載の方法。
７．  前記連続走査において画像化された最初のチャネルが、少なくとも前回の走査において画像化されなかった最後のチャネルに重複することを特徴とする前記５．に記載の方法。
８．  前回の走査で画像化された最後のチャネルが、少なくとも後続走査で画像化されなかった最初のチャネルに重複することを特徴とする前記５．に記載の方法。
９．  前記イメージングヘッドを構成する工程が、メモリ要素内に記憶された少なくとも１つのパラメータを変更することを含むことを特徴とする前記１．に記載の方法。
１０．  前記パラメータが、前記決定されたチャネル数に相当することを特徴とする前記９．に記載の方法。
１１．  前記イメージングヘッドを構成する工程が、前記特徴のパターンを表わす画像データを再フォーマットすることを含むことを特徴とする前記１．に記載の方法。
１２．  前記イメージングヘッドを用いて少なくとも２つの異なる規則的パターンを画像化するとともに、前記構成する工程が異なる規則的パターン毎に行われることを特徴とする前記１．に記載の方法。
１３．  前記規則的パターンが、カラーフィルタ特徴のパターンを備えることを特徴とする前記１．に記載の方法。
１４．  前記カラーフィルタ特徴が、複数の異なる有色細長ストライプを備えるとともに、各色の前記細長ストライプが、別々に画像化されることを特徴とする前記１３．に記載の方法。
１５．  前記カラーフィルタ特徴のパターンが、複数の異なる有色特徴を備えるとともに、各色の前記特徴が、別々に画像化されることを特徴とする前記１３．に記載の方法。
１６．  カラーフィルタ基板を設ける工程と、
前記基板上にブラック・マトリクスを形成する工程と、
パターン色毎に有色色素供与体要素を設ける工程と、
順に、前記基板上に形成された前記ブラック・マトリクスを、各有色色素供与体要素で覆い、前記供与体色に対応する前記パターン色特徴を画像化し、さらに前記画像化された有色色素供与体要素を除去する工程と、
をさらに含むことを特徴とする前記１５．に記載の方法。
１７．  各色の前記特徴が、前記イメージングヘッドの複数の走査で画像化され、各連続走査が前記前回の走査に隣接していることを特徴とする前記１６．に記載の方法。
１８．  前記ブラック・マトリクス上に、前記それぞれの複数の走査中に、前記画像化された最初のチャネルおよび前記画像化された最後のチャネルによって、少なくとも画像化されることを特徴とする前記１７．に記載の方法。
１９．  前記多重チャネルが、規則的に一定距離をおいて配置されているとともに、前記連続走査で画像化された前記最初のチャネルが、前回の走査で画像化された前記最後のチャネルから、前記一定距離より大きく移動されていることを特徴とする前記１７．に記載の方法。
２０．  前記連続走査で画像化された最初のチャネルが、少なくとも前記前回の走査で画像化されなかった最後のチャネルに重複することを特徴とする前記１７．に記載の方法。
２１．  前記前回の走査で画像化された最後のチャネルが、少なくとも後続走査で画像化されなかった最後のチャネルに重複することを特徴とする前記１７．に記載の方法。
２２．  前記連続走査で画像化された最初のチャネルが、少なくとも前記前回の走査で画像化された最後のチャネルに重複することを特徴とする前記１８．に記載の方法。
２３．  前記多重チャネルのうちの少なくとも１つは画像化せず、前記多重チャネルのうちの前記少なくとも１つが、前記それぞれの複数の走査中に、画像化された最初のチャネルと画像化された最後のチャネルとの間に位置することを特徴とする前記１７．に記載の方法。
２４．  前記多重チャネルのうちの前記少なくとも１つが、前記ブラック・マトリクス上に画像化しないことを特徴とする前記２３．に記載の方法。
２５．  前記多重チャネルのうちの少なくとも１つが、２つの隣接配置された色特徴を同時に画像化することができず、前記２つの隣接配置された色特徴が前記ブラック・マトリクスによって分離されていることを特徴とする前記１６．に記載の方法。
２６．  前記パターンが、１つまたは複数の高分子半導体要素を表わす特徴を備えることを特徴とする前記１．に記載の方法。
２７．  前記パターンが、ラボチップ・デバイス（ｌａｂ−ｏｎ−ａ−ｃｈｉｐ  ｄｅｖｉｃｅ）の要素を表わす特徴を備えることを特徴とする前記１．に記載の方法。
２８．  前記１．に記載の方法を含む転染法により作製されたことを特徴とするカラーフィルタ。
２９．  前記１．に記載の方法により構成された特徴の規則的パターンを画像化することを特徴とする多重チャネル・イメージングヘッド。
３０．  各々が入射光線に作用して変調光線を生成可能な、複数の制御可能要素を有するライトバルブ（ｌｉｇｈｔ  ｖａｌｖｅ）と、
前記制御可能要素を照明する光源と、
前記変調光線を画像化媒体上に向けるレンズとを備えることを特徴とする前記２９．に記載の多重チャネル・イメージングヘッド。
３１．  前記光源がすべての要素を同時に照明するように構成されていることを特徴とする前記３０．に記載の多重チャネル・イメージングヘッド。
３２．  前記ライトバルブが、複数の変形可能鏡要素を備えることを特徴とする前記３０．に記載の多重チャネル・イメージングヘッド。